(57)【特許請求の範囲】
【請求項１】
雄部材及び雌部材からなり、前記雄部材が頭部と挿入軸を有し、前記雌部材が通し孔付きフランジ部と上下スリットを介し略筒状に配された複数の脚片を有し、前記雄・雌部材が、前記挿入軸の前記通し孔から脚片同士の内側への挿入によって仮止め状態となり、前記挿入軸の更なる挿入によって前記脚片を拡径し取付部材に固定する本止め状態となるクリップにおいて、
前記複数の脚片のうち、少なくとも隣り合う一組の脚片同士の間に対応して設けられ、前記本止め状態から仮止め状態にする前記雄部材の引き抜きにより、前記拡径された脚片を縮径させる矯正手段を有し、
前記矯正手段は、前記脚片に設けた傾斜カム面を形成している段差部と、前記挿入軸に設けた係合突起とからなることを特徴とするクリップ。
【請求項２】
前記段差部が前記脚片側縁部の肉厚を部分的に薄くした段差に形成され、前記係合突起が前記傾斜カム面の高くなった段差端面に係合することにより前記仮止め状態を保持する請求項１に記載のクリップ。
【請求項３】
前記脚片の先端内側に設けられた爪起と、前記挿入軸の先端周囲にあって前記リブ同士の間に設けられた係止段部とが係合することにより前記本止め状態を保持する請求項２に記載のクリップ。
【請求項４】
前記リブは前記頭部側に位置しリブ幅の大きな第１リブ部と、先端側に位置しリブ幅の細い第２リブ部とからなり、前記係合突起を第２リブに有し、前記上下スリットは前記第１リブ部に対応したスリット幅の大きな第１スリット部と、前記第２リブ部に対応したスリット幅の小さな第２スリット部とからなり、前記段差部を前記第２スリット部と対向する脚片部分に有している請求項３に記載のクリップ。
【請求項５】
雄部材及び雌部材からなり、前記雄部材が頭部と挿入軸を有し、前記雌部材が通し孔付きフランジ部と上下スリットを介し略筒状に配された複数の脚片を有し、前記雄・雌部材が、前記挿入軸の前記通し孔から脚片同士の内側への挿入によって仮止め状態となり、前記挿入軸の更なる挿入によって前記脚片を拡径し取付部材に固定する本止め状態となるクリップにおいて、
前記挿入軸が前記上下スリットと嵌合し該スリットに沿って摺動されるリブ及び該リブの先端側に設けられた係合突起を有すると共に、前記複数の脚片が少なくとも隣り合う一組の脚片同士の側縁部に設けられて前記係合突起を脚片の板厚内に収容可能な深さの段差部を有し、
前記係合突起が、前記段差部の段差端面に脚片の厚さ内で係合することにより前記仮止め状態を保持することを特徴とするクリップ。
【発明の詳細な説明】
【０００１】
【発明の属する技術分野】
本発明は、例えば、複数の取付部材を連結したり、一方取付部材を他方取付部材に固定するような場合、或いは、クリップに設けられた機能部分を取付部材に固定するような場合に好適なクリップに関するものである。
【０００２】
【従来の技術】
図８は従来クリップ（実用新案登録第２５９０８１７号）を示している。このクリップは、雄部材３０及び雌部材３５からなり、パネル面（取付部材）４０に部材（取付部材）４５を固定したり、取付部材同士を連結するものである。雄部材３０は、頭部３１、挿入軸３２、頂部３３を形成し、挿入軸３２の周囲を径小にした基端頸部３４ａと、その下側の径大周囲に設けられた凹部３４ｂと、挿入軸３２と頂部３３の間を径小にした先端頸部３４ｃを有している。雌部材３５は、フランジ部３６及び複数の脚片３７を形成し、各脚片３７の先端内側に係止突起３８を有している。そして、雄部材３０は、雌部材３５に対し挿入軸３２が脚片３７同士の内側中空部に挿入され、頂部３３が係止突起３８を貫通すると、係止突起３８が先端頸部３４ｃと係合し同（ａ）の如く仮止め状態となる。雄部材３０は、挿入軸３２の更なる挿入により前記係合を解除した後、脚片３７が凹部３４ｂ付近の径大周囲により拡径され、凹部３４ｂが係止突起３８と係合すると、同（ｂ）の如く脚片３７の拡径部分とフランジ３６との間に取付部材４０，４５を挟み連結、又は、一方取付部材４０を他方取付部材４５に固定（この連結と固定はフランジ３６の挿入規制作用と、脚片３７の拡径部分による抜け止め作用とを利用している点で実質的に同じ）する本止め状態となる。修理等で部材４５をパネル面４０から外したり、取付部材４０，４５の連結を開放するには、例えば、雄部材３０の頭部３１の下側に工具を差し込んで、凹部３４ｂと係止突起３８の係合力に抗し雄部材３０を引き抜いて同（ａ）の仮止め状態にし、各取付孔４０ａ，４５ａから雄・雌部材３０，３５を一体物として抜く。
【０００３】
【発明が解決しようとする課題】
以上のようなクリップは、雄部材３０及び雌部材３５が製造後に仮止め状態で取り扱うことができ、雄・雌部材３０，３５が仮止め状態から挿入操作で本止め状態にでき操作性が良好なこと、使用後に取り外して繰り返し利用し易いという利便性があるが、次のような点から未だ満足できないものとなっている。
第１に、この種のクリップは、樹脂成形品であり、脚片３７が長期間、拡径した状態にされると、樹脂弾性が損なわれ、本止め状態から仮止め状態にしても、初期形状に復元されなくなり、取付孔４０ａ，４５ａから抜けなくなり易い。この構造では、挿入軸３２の先端に大きな頂部３３を設け、該頂部３３が脚片３７の先端から外へ突出されると共に、拡径した脚片３７を頂部３３の内面に受け入れて縮径されるようにしている。このため、頂部３３が脚片３７先端から外へ突出されてクリップの全寸が長くなり、他部材と緩衝したり見栄えが悪くなる。また、頂部３３は、拡径した脚片３７の先端を内面に入れるため大きく、例えば、仮止め状態にする際に強い挿入力が必要となる。
第２に、この種のクリップでは、仮止め状態と本止め状態との２位置で保持、つまり、仮止め状態では雄部材３０が脚片３７を拡径しない態様で雌部材３５から抜け止めされ、本止め状態では雄部材３０が脚片３７を拡径した態様で雌部材３５から抜け止めされる。このうち、仮止め状態での保持は、図８の例の如く雄部材３０の挿入先端側の段部（先端頸部３４ｃ）と雌部材３５の先端側の突起（係止突起３８）との係合構造か、雄部材側挿入軸及び雌部材側脚片の内径方向対向する部分に互いに係脱する凹部と突部とを設けた係合構造の何れかである。前者では上記した問題があり、後者では前記突部が脚片同士の筒内径に位置するため摩耗要因となり、挿入軸を本止め状態まで挿入したり逆に本止め状態から仮止め状態に引き抜くときの操作性を損ねたり、挿入軸の脚片同士の筒内への密着性が悪くなる、等の問題がある。
【０００４】
本発明の目的は、以上のような各問題を同時に一掃して、例えば、拡径した脚片を初期形状に縮径できるようにする場合にも、クリップ全寸を短くでき、雄部材が雌部材に対し不用意に回転したり、雄部材が本止め状態から仮止め状態に引き抜かれる際に不用意に雌部材から外れないようにして、信頼性を向上することにある。他の目的は以下に説明する内容の中で順次明らかにして行く。
【０００５】
【課題を解決するための手段】
以上の目的を達成するため本発明は、図１〜図７に例示される如く、雄部材１０及び雌部材２０からなり、前記雄部材１０が頭部１１と挿入軸１２を有し、前記雌部材２が通し孔付きフランジ部２１と上下スリット２５を介し略筒状に配された複数の脚片２２を有し、前記雄・雌部材１０，２０が、前記挿入軸１２の前記通し孔から脚片２２同士の内側への挿入によって仮止め状態となり、前記挿入軸１２の更なる挿入によって前記脚片２２を拡径し取付部材１（又は１，２）に固定する本止め状態となるクリップにおいて、前記複数の脚片２２のうち、少なくとも隣り合う一組の脚片２２同士の間に対応して設けられ、前記本止め状態から仮止め状態にする前記雄部材１０の引き抜きにより、前記拡径された脚片２２を縮径させる矯正手段３を有し、前記矯正手段は、前記脚片２２に設けた傾斜カム面２６ａを形成している段差部２６と、前記挿入軸１２に設けた係合突起１６とからなることを特徴とする。
以上の構造によれば、矯正手段が脚片２２同士の間、すなわち上下スリット２５に対応して設けられることから、上記従来例の如く挿入軸３２の先端に大きな頂部３３を設ける構造に対し、雄部材１０の全寸を短くでき、それに応じてクリップ全寸も短くできる。また、脚片２２同士の間は上下スリット２５の隙間となっており、該隙間を利用することから、雄部材１０の挿入力が必要以上に大きなったり、逆に、引き抜き操作により仮止め状態を不用意に解除したり、仮止め状態が不安定になることも防ぎ易くなる。しかも、矯正手段を構成している係合突起１６は、形態のごとく脚片２２が拡径された本止め状態で傾斜カム面２６ａから離れることがあっても、雄部材１０の前記ガイド作用を伴った引き抜きにより傾斜カム面２６ａの高くなった部分に当たって脚片２２を初期形状まで確実に縮径できる。ここで、本明細書において、「仮止め状態を保持する」とは、雄部材１０が脚片２２をほとんど拡径しない態様で雌部材２０に対し抜け止めされることを意味する。「本止め状態を保持する」とは、雄部材１０が脚片２２を拡径した態様で雌部材２０に対し抜け止めされることを意味する。「取付部材同士を固定する」とは、２以上の部材同士を連結したり固定する場合、被取付側の一方部材（複数部材であってもよい）を固定側の他方部材（複数部材であってもよい）に連結したり固定する場合を含む。
【０００６】
以上の本発明は次のように具体化されることがより好ましい。
第１に、前記段差部２６が前記脚片２２側縁部の肉厚を部分的に薄くした段差に形成され、前記係合突起１６が前記傾斜カム面２６ａの高くなった段差端面２６ｂに係合することにより前記仮止め状態を保持する構成である。段差部２６は、段差端面２６ａが係合突起１６と共に仮止め状態を保持する部分として利用される。この利点は、脚片２２と挿入軸１２との間の隙間を極力無くしたり、仮止め状態及び本止め状態をそれぞれ雄・雌部材１０，２０の異なる部分（専用部分）でより確実に保持可能にしたり、その場合にも全寸を短く維持できる。
第２に、前記脚片２２の先端内側に設けられた爪起２７と、前記挿入軸１０の先端周囲にあって前記リブ１５同士の間に設けられた係止段部１７とが係合することにより前記本止め状態を保持する構成である。これは、上記従来例に対し爪部２７及び係止段部１７が共に対応する脚片２２や挿入軸１０の先端に設けられており、本止め状態で雄部材１０が雌部材２０から極力突出しなく、コンパクトになっていることを明瞭化したものである。
第３に、前記リブ１５は、前記頭部１１側に位置しリブ幅の大きな第１リブ部１５ａと、先端側に位置しリブ幅の小さな第２リブ部１５ｂとからなり、前記係合突起１６を第２リブ１５ｂに有し、前記上下スリット２５は、前記第１リブ部１５ａに対応したスリット幅の大きな第１スリット部２４ａと、前記第２リブ部１５ｂに対応したスリット幅の小さな第２スリット部１５ｂとからなり、前記段差部２６を第２スリット部に対向する脚片部分に有している構成である。これは、上記したガイド作用をより安定にし、上記仮止め状態での保持構造をより容易に実現可能にする。
【０００７】
他の本発明は、上記発明を仮止め状態の保持構造から捉えたもので、雄部材１０及び雌部材２０からなり、前記雄部材１０が頭部１１と挿入軸１２を有し、前記雌部材２が通し孔付きフランジ部２１と上下スリット２５を介し略筒状に配された複数の脚片２２を有し、前記雄・雌部材１０，２０が、前記挿入軸１２の前記通し孔から脚片２２同士の内側への挿入によって仮止め状態となり、前記挿入軸１２の更なる挿入によって前記脚片２２を拡径し取付部材１（又は１，２）に固定する本止め状態となるクリップにおいて、前記挿入軸１２が前記上下スリット２５と嵌合し該スリット２５に沿って摺動されるリブ１５及び該リブ１５の先端側に設けられた係合突起１６を有すると共に、前記複数の脚片２２が少なくとも隣り合う一組の脚片２２同士の側縁部に設けられて前記係合突起１６を脚片２２の板厚内に収容可能な深さの段差部２６を有し、前記係合突起１６が、前記段差部２６の段差端面２６ｂに脚片２２の厚さ内で係合することにより前記仮止め状態を保持することを特徴とする。
以上の構造によれば、上記課題に記載した雄部材側挿入軸及び雌部材側脚片の内径方向対向する部分に互いに係脱する凹部と突部とを設けた係合構造に対し、前述したガイド作用、挿入軸１２の挿入や引き抜き操作性に加え、径方向の突部を廃止したため摩耗要因がなくなり、挿入軸１２の脚片２２同士の筒内への密着性を向上できる等の利点がある。
【０００８】
【発明の実施の形態】
以下、本発明の好適な形態を添付図面に基づいて詳細に説明する。図１はクリップを構成している雄部材と雌部材との関係を示す概略外観図である。図２（ａ）は前記クリップを仮止め状態で、図２（ｂ）は本止め状態でそれぞれ示す概略外観図である。図３（ａ），（ｂ）は図４（ａ）のＡ−Ａ線に沿って雌部材だけを断面した前記仮止め状態と本止め状態とを示す図である。図４は前記クリップを仮止め状態で示し、同（ａ）は頭部側から見た図、同（ｂ）は側面図、同（ｃ）は脚片側から見た図である。図５は雌部材を示し、同（ａ）は頭部側から見た図、同（ｂ）は同（ａ）のＢ方向から見た側面図、同（ｃ）は脚片側から見た図である。図６は図５（ａ）のＣ−Ｃ線に沿って断面した図である。図７は雌部材を示し、同（ａ）は側面図、同（ｂ）は（ａ）のＤ方向から見た図である。
【０００９】
形態例のクリップは、樹脂成形品である雄部材１０及び雌部材２０からなる点、雄部材１０が頭部１１と挿入軸１２を有している点、雌部材２がフランジ部２１と上下スリット２５を介し略筒状に配された複数の脚片２２を有している点、雄・雌部材１０，２０が挿入軸１２の脚片２２同士の内側への挿入によって仮止め状態となり、挿入軸１２の更なる挿入によって脚片２２を拡径し取付部材１，２同士を固定する本止め状態となる点で、従来と同じ。工夫点は、特に、雌部材２０に対する雄部材１０の仮止め状態を保持する係合構造と、脚片２２の拡径を元の形状まで縮径する縮径構造とにある。以下の説明では、雄・雌部材１０，２０の各部材構造を基本作動と共に明らかにし、その後、要部作動に言及する。
【００１０】
（雄部材）この形態では、図１と図７の如く、頭部１１が略円盤状をなし、挿入軸１２が頭部１１の下面から垂直に突出している。挿入軸１２は、頭部１１の下面から略中間までが最大径の径大円柱部１２ａ、径大円柱部１２ａの先端側が径小となる傾斜部１２ｂ、傾斜部１２ｂの先端側が径小円柱部１２ｃ、径小円柱部１２ｃの先端側が挿入軸先端部１２ｄとなっており、また、径大円柱部１２ａから挿入軸先端部１２ｄの軸全寸にわたって延設された４本のリブ１５及び該リブ１５の先端側に設けられた係合突起１６を有している。
【００１１】
挿入軸先端部１２ｄは、先端が次第に径小となる傾斜つまり碗状となっており、雌部材２０側へ挿入し易くなっている。径小円柱部１２ｃは、挿入軸先端部１２ｄの内端面と段差を形成し、図３（ｂ）の本止め状態で脚片２２の爪部２７と係合する係止段部１７となる。リブ１５は、雌部材２０の脚片２２間に設けられた上下スリット２５に対応して、挿入軸１２の周囲を４等分する位置に設けられている。高さ寸法は径大円柱部１２ａから挿入軸先端部１２ｄまで同じ。リブ１５の幅寸法は、径大円柱部１２ａに位置し傾斜部１２ｂの手前までが最大幅の第１リブ部１５ａと、それよりも先端側が第１リブ部１５ａの約１／３程度の細い第２リブ部１５ｂと、その間が第１リブ部１５ａから第２リブ部１５ｂに向かって傾斜した楔部１５ｃとなっている。係合突起１６は、４本のリブ１５のうち、直線上に位置する２本のみに設けられている。形状的には、リブ１５の上面と面一で、第２リブ部１５ｂの両側に張り出している。左右の張出量は図７（ｂ）の如く第１リブ部１５ａの幅寸法よりも小さく設定されている。
【００１２】
（雌部材）この形態では、図１と図５及び図６の如く、フランジ部２１が頭部１１を収容する凹部２３及び挿入軸１２をリブ１５と共に脚片２２側へ挿通する通し孔付きであり、複数の脚片２２が上下スリット２５を介して略円筒状に配置されている。フランジ部２１は、頭部２１が嵌合される凹部２３の周囲の一部を欠如した切欠部２３ａを有している。切欠部２３ａは、頭部１１がフランジ部２１の凹部２３に嵌合される構造において、雄部材１０の引き抜き操作で、この切欠部２３ａの箇所からドライバー等の工具を雄部材１０の頭部１１の下に差し込んで引き抜く操作を容易にする。なお、図１と図２では切欠部２３ａを省略した。
【００１３】
脚片２２は、円筒を４本の上下スリット２５で等分割した状態に設けられ、同形状の４つから構成されている。上下スリット２５は、第１リブ部１５ａに対応したスリット幅の大きな第１スリット部２５ａと、この先端側に位置して第２リブ部１５ｂに対応したスリット幅の小さな第２スリット部２５ｂと、本止め状態で楔部１５ｃを受ける傾斜スリット部２５ｃとからなる。従って、各脚部２２の概略形状は、上下スリット２５に対応しており、板幅的には両第１スリット部２５ａの間の脚部分２２ａが小さく、両第２スリット部２５ｂの間の脚部分２２ｂがそれよりも多少大きくしている。但し、脚部分２２ｂの側縁部には、傾斜スリット部２５ｃと若干隙間をおいて、段差部２６が設けられている。このため、外観上は両傾斜スリット部２５ｃの間の脚部分の板幅が最も大きく見える。
【００１４】
脚片２２の長さは、図３（ｂ）の如く挿入軸１２を最大まで脚片同士の筒内（内側）に挿入した本止め状態で、挿入軸１２の先端が数ミリだけ突出するようになっている。脚片２２同士で形成される筒内径は、脚部分２２ａが挿入軸１２の径大円柱部１２ａとほぼ同じか若干大きく、内面２３ａ（図６）が挿入軸１２を挿入したときに径大円柱部１２ａと極力密接されるようになっている。脚部分２２ｂは先端に行くほど径小となり、先端側の内径に爪部２７を形成している。すなわち、脚部分２２ｂは、図６の如く先に行くほど次第に筒中心線に近づく傾斜内面２３ｂとなっていて、挿入軸１２を挿入したときに挿入軸先端部１２ｄの最大外径部で拡径される。爪部２７は、脚部分２２ｂの最先端の内径を径大内面２３ｃに形成することにより、最小の筒内径となっていて、挿入軸１２を最大まで脚片同士の筒内に挿入したときに係止段部１７と係合し本止め状態を保持する。
【００１５】
段差部２６は、脚部分２２ｂの両側縁部にあって、各傾斜スリット部２５ｃと若干隙間をおいた箇所から先端までを段差にした状態となっている。段差の幅はは係合突起１６の対応部を逃がすことができる寸法である。深さは傾斜スリット部２５ｃ側が浅く（但し、係合突起１６が入ったときに外に突出しない寸法）、脚片先端側が深く形成されている。つまり、段差部２６の底面は、脚部分２２ｂ側縁にあって先端に行くほど脚片２２同士の筒内中心線方向に低くなった傾斜カム面２６ａとなっている。そして、段差部２６は、係合突起１６が傾斜カム面２６ａの高くなった段差端面２６ｂに係合することにより仮止め状態を保持する。
【００１６】
（要部作動）以上のクリップの使い方は、雄部材１０が雌部材２０に対し挿入軸１２を脚片２２同士の内中空部に挿入されて、仮止め状態となり、更に挿入されると本止め状態となって、図３（ｂ）の如く脚片２２の拡径部分とフランジ２１との間に取付部材１，２を挟み連結、又は、一方取付部材１を他方取付部材２に固定する点で、従来と同じ。この基本作動において、この構造では、まず、仮止め状態にするときに、雄部材１０が雌部材２０に対しリブ１５を上下スリット２５に嵌合し、上下スリット２５に沿ってスムースに挿入される。そして、雄部材１０は、係合突起１６が傾斜スリット部２５ｃに達した後、所定の挿入力により両側の脚片２２を少し拡径し傾斜スリット部２５ｃから狭くなった第２スリット部２５ｂに入る（当該脚片２２は元の状態に復元される）と、雌部材２０に仮止め状態に保持される。この仮止め状態では、図３（ａ）拡大部の如く係合突起１６が段差部２６内にあって傾斜カム面２６ａの高くなった段差端面２６ｂに係合して挿入軸１２の引き抜きを阻止し、また、挿入軸先端部１２ｄが傾斜内面２３ｂに当たっているため挿入軸１２が所定の挿入力を受けない限り更に挿入されることもない。搬送や部材組立時等においては、例えば、箱詰めされたり、各種の振動を受けることもあるが、係合突起１６と段差端面２６ｂとの係合に加え、段差端面２６ｂが傾斜カム面２６ａの最も高い箇所にあること、挿入軸先端部１２ｄが傾斜内面２３ｂに規制されること、雄・雌部材１０，２０の相対的な回転がリブ１５と上下スリット２５との嵌合で阻止されていること、によって不用意に本止め状態になったり、仮止め状態を解除するという虞がなくなる。
【００１７】
雄部材１０は仮止め状態から更に挿入されると本止め状態となる。この挿入過程では、雄部材１０が上下スリット２５に嵌合しているリブ１５により真っ直ぐ前進し、挿入軸先端部１２ｄが傾斜内面２３ｂを外側へ押して脚部分２２ｂを拡径する。脚部分２２ｂが拡径されると、図３（ｂ）拡大部の如く間の第２スリット部２５ｂのスリット幅も大きくなり、係合突起１６が脚片２２の拡径に伴って移動される段差部２６から離れる。楔部１５ｃが傾斜スリット部２５ｃに係合したとき、爪部２７が係止段部１７に係合し本止め状態を保持する。この本止め状態の保持力は係止段部１７に対する爪部２７の圧接力に比例する。この構造では、例えば、取付部材１，２側から大きな振動を受けた場合、リブ１５と上下スリット２５との嵌合による雄・雌部材１０，２０の相対的な回転が阻止され、楔部１５ｃが傾斜スリット部２５ｃに係合し脚片２２を拡径状態に保持しているため、爪部２７が係止段部１７から不用意に外れ難く、係合状態が安定維持される。
【００１８】
修理等で取付部材２を取付部材１から外したり、取付部材１，２の連結を開放するには、上記した切欠部２３ａから雄部材１０の頭部１１の下側に工具を差し込んで、爪部２７と係止段部１７の係合力に抗し雄部材１０を引き抜き、仮止め状態で取付孔１ａ，２ａから雄・雌部材１０，２０を一体物として抜く。その場合には脚片２２が弾性劣化して拡径状態となっていることもあるが、この構造では段差部２６と係合突起１６とからなる矯正手段が有効に機能する。すなわち、この矯正手段では、雄部材１０の引き抜き操作により、爪部２７と係止段部１７の係合が解除されて爪部２７が脚部分２２ｂの外面に乗り上げ、挿入軸１２がリブ１５と上下スリット２５とのガイド作用を伴って真っ直ぐ後退移動される。係合突起１６は、連動して後退されると、傾斜ガイド面２６ａの高くなった箇所に当たり、脚片２２を元の位置（脚片２２同士の筒中心線の方向）に押し、脚片２２を強制的に矯正しながら段差端面２６ｂに当たったときに係止される。このため、この構造では、挿入軸１１のリブ１５に設けられた係合突起１６を利用し、該係合突起１６が傾斜カム面２６ａに当接し脚片２２を確実に元の形状まで矯正することができる。
【００１９】
なお、本発明は請求項で特定される技術要素を備えておればよく、例えば、上下スリットや脚片の個数、係合突起の形状や数等、色々変形可能なものである。
【００２０】
【発明の効果】
以上説明したとおり、本発明のクリップは次のような利点を具備している。
請求項１では、図８の従来例に対し、脚片同士の上下スリットの隙間を利用することから、雄部材の全寸（特に挿入軸）を短くしてクリップ全寸を抑えることができ、雄部材の挿入力が過大にならず操作性を向上でき、その場合にも、引き抜き操作において仮止め状態を不用意に解除したり、仮止め状態が不安定になることもなく、請求項２〜４のような展開を可能にする。
請求項５では、仮止め状態を保持する係合構造として、従来の如く挿入軸及び脚片の径方向対向する部分に互いに係脱する凹部と突部とを設けた構造に対し、上下スリットとリブとのガイド作用及び相対的な回転阻止作用により挿入軸の挿入や引き抜き操作性を良好にでき、径方向の突部を廃止したため摩耗要因がなくなり、挿入軸の脚片同士の筒内への密着性を確保できる。従って、本発明品はコンパクト化、挿入操作性、繰り返し使用する場合の信頼性を向上できる。
【図面の簡単な説明】
【図１】  本発明形態の構成部材である雄・雌部材を示す概略外観図である。
【図２】  上記構成部材を仮止めと本止めの各状態で示す模式外観図である。
【図３】  上記構成部材を仮止め状態と本止め状態で示す作用断面図である。
【図４】  上記構成部材を仮止め状態で各方向から見た図である。
【図５】  上記構成部材のうち、雌部材を各方向から見た図である。
【図６】  図５（ａ）のＣ−Ｃ線に沿って断面した図である。
【図７】  上記構成部材のうち、雄部材の側面と端面図である。
【図８】  従来クリップの問題を説明するための図である。
【符号の説明】
１，２…取付部材、１０…雄部材、１１…頭部、１２…挿入軸、
１５…リブ（１５ａ，１５ｂは第１と第２リブ部、１５ｃは楔部）、
１６…係合突起（矯正手段）、１７…係止段部、
２０…雌部材、２１…フランジ部、２２…脚片、
２５…上下スリット（２５ａ，２５ｂは第１と第２スリット部）、
２６…段差部（矯正手段であり、２６ａは傾斜カム面、２６ｂは段差端面）、
２７…爪部、
【図１】
0004488588.tif 000002
【図２】
0004488588.tif 000003
【図３】
0004488588.tif 000004
【図４】
0004488588.tif 000005
【図５】
0004488588.tif 000006
【図６】
0004488588.tif 000007
【図７】
0004488588.tif 000008
【図８】
0004488588.tif 000009